(57)【要約】【課題】移植機におけるスクレーパをコンパクトに収容する格納具を提供することを課題としている。【解決手段】補助苗載台１９を構成する補助苗載板２３又は補助苗載板２３に載置される苗箱からマット苗を取り出すスクレーパ２４を苗の掬い面を上又は下向きに収容又は保持する格納具２６を、複数段の補助苗載板２３の最下段の補助苗載板２３Ｕと、運転席６の前方に設けられた操作パネル８の外側方から座席５の外側方にわたり設けられるステップ１７との間の空間に、ステップ１７より機体内側に突出しないように配置した【選択図】　　　　　図１
2004141086.tif 000002
【特許請求の範囲】
【請求項１】
植付作業機（１２）を備えた走行機体（３）に座席（５）を備えた運転席（６）を設け、該運転席（６）における座席（５）の前方に操作パネル（８）を立ち上げて設けるとともに、該操作パネル（８）の外側方から座席（５）の外側方にわたりステップ（１７）を設けると共に、操作パネル（８）の外側方位置に補助苗載置板（２３）を側方に向けて複数段に突設した補助苗載台（１９）をステー（２０）を介して機体フレーム（２２）側に取り付けて設け、補助苗載板（２３）又は補助苗載板（２３）に載置される苗箱からマット苗を取り出すスクレーパ（２４）を設けた移植機において、該スクレーパ（２４）を苗の掬い面を上又は下向きに収容又は保持する格納具（２６）を最下段の補助苗載板（２３Ｕ）とステップ（１７）との間の空間に、ステップ（１７）より機体内側に突出しないように配置した移植機におけるスクレーパの格納具。
【請求項２】
格納具（２６）を後方に向かって上昇傾斜させて設け、スクレーパ（２４）を後方から挿入及び取り出し可能に収容する請求項１の移植機におけるスクレーパの格納具。
【請求項３】
ステー（２０）をステップ（１７）より外側に立設せしめ、ステー（２０）の内外両側方に補助苗載板（２３）を設け、内側の補助苗載板（２３）の下方位置に格納具（２６）を設けた請求項１又は２の移植機におけるスクレーパの格納具。
【発明の詳細な説明】
【０００１】
【発明の属する技術分野】
この発明は、乗用田植機等の移植機における、補助苗載台から補助苗を掬い取るスクレーパの格納具に関する。
【０００２】
【従来の技術】
【特許文献１】特許番号　第２８１３２７３号　公報
【特許文献２】実公平７−５５８６３号　公報
【特許文献３】特開平９−１９１７２２号　公報
上記各特許文献には、移植機における補助苗載台から補助苗を掬い取り、植付作業機の苗載台に供給するスクレーパと、該スクレーパを格納する格納具が記載されている。
【０００３】
【発明が解決しようとする課題】
しかし上記特許文献１及び特許文献３はスクレーパを縦方向に収納するタイプであり、スクレーパの収納及び取り出し作業が困難であるという欠点があり、また特許文献２は、スクレーパを補助苗載台自体に対して挿脱するため、スクレーパの収納及び取り出し作業が困難である他、収納状態のスクレーパが前後に突出するという欠点があった。
【０００４】
【課題を解決するための手段】
上記課題を解決するための本発明のは、植付作業機１２を備えた走行機体３に座席５を備えた運転席６を設け、該運転席６における座席５の前方に操作パネル８を立ち上げて設けるとともに、該操作パネル８の外側方から座席５の外側方にわたりステップ１７を設けると共に、操作パネル８の外側方位置に補助苗載置板２３を側方に向けて複数段に突設した補助苗載台１９をステー２０を介して機体フレーム２２側に取り付けて設け、補助苗載板２３又は補助苗載板２３に載置される苗箱からマット苗を取り出すスクレーパ２４を設けた移植機において、該スクレーパ２４を苗の掬い面を上又は下向きに収容又は保持する格納具２６を最下段の補助苗載板２３Ｕとステップ１７との間の空間に、ステップ１７より機体内側に突出しないように配置したことを第１の特徴としている。
【０００５】
また格納具２６を後方に向かって上昇傾斜させて設け、スクレーパ２４を後方から挿入及び取り出し可能に収容することを第２の特徴としている。
【０００６】
そしてステー２０をステップ１７より外側に立設せしめ、ステー２０の内外両側方に補助苗載板２３を設け、内側の補助苗載板２３の下方位置に格納具２６を設けたことを第３の特徴としている。
【０００７】
【発明の実施の形態】
図１、図２は本発明のスクレーパの格納具を採用した乗用田植機の側面図及び正面図であり、前輪１及び後輪２に支持された走行機体３の前方に、内部にエンジンを搭載するボンネット４が設けられ、該ボンネット４の後方にシート５を備えた運転席６が設けられている。
【０００８】
このとき運転席６内には、シート５の前方にステアリングハンドル７が突出した操作パネル８がフロア９から立ち上がって設けられており、該操作パネル８はボンネット４の後方に位置する。
【０００９】
そして走行機体３の後方には、苗載台１１を備えた植付作業機１２が昇降リンク１３を介して昇降可能に連結されており、圃場内で走行機体３を走行させ、植付作業機１２をフロート１４が接地するように下降させて作動させることによって、機体３の走行に伴い植付作業機１２が植付爪１６によって苗載台１１から苗を描き取り、該苗を圃場に植え付ける。
【００１０】
一方上記走行機体３の前方において操作パネル８の両外側方には、ボンネット４の外側方から操作パネル８の外側方を通過して座席５の外側方に至るステップ１７が設けられており、該ステップ１７の外側方には、操作パネル８の側方位置にステー１８を介して補助苗載台１９が設けられている。
【００１１】
このとき上記ステー１８は図１〜図３に示されるように、ステップ１７の外側方に上下方向に設けられる縦ステー２０と、該縦ステー２０の前方に位置して、正面視で略逆Ｌ字状をなし、縦ステー２０の上端側を支持する取付ステー２１とから構成されている。
【００１２】
そして縦ステー２０の機体内側に向かって湾曲した下端部分と取付ステー２１の下端部とが機体フレーム２２側に固定されて、ステー１８が走行機体３側に取り付けられている。
【００１３】
また上記補助苗載台１９は、上記縦ステー２０の内外両側方に突出して取り付けられる上下複数段の補助苗載板２３から構成されており、ステップ１７より上方位置に設けられている。なお上記補助苗載板２３は、縦ステー２０に上下揺動自在に取付支持されており、正面視において縦ステー２０に沿うように縦方向に格納される格納姿勢Ａと、縦ステー２０から左右方向に突出する作業姿勢Ｂとに姿勢切換自在となっている。このとき補助苗載板２３はいずれの姿勢においても、ステップ１７の内側に大きく突出しない。
【００１４】
そして補助苗載板２３又は補助苗載板２３上に載置される苗箱からマット苗を取り出すスクレーパ２４が後述するようにステー側に載置されており、該スクレーパによって補助苗載板２３や苗箱からマット苗（補助苗）を取り出し、植付作業機１２の補助苗載台１１に補給することができる。なお上記構造の補助苗載台１９はステー１８と一体的にアッセンブルとして走行機体３に対して着脱される。
【００１５】
一方最下段の補助苗載板２３Ｕの下方には、杆状部材を側面視で後方が開くように倒れたＵ字状をなし、且つ平面視で長方形をなすように形成して構成されたスクレーパ２４の格納具２６が、平面視において縦ステー２０より内側の作業状態の補助苗載板２３と重複するように、ステー１８に一体的に固定されて設けられている。このとき格納具２６の機体の内側の端部がステップ１７より内側に突出することはなく、且つ格納具２６の機体の外側の端部が縦ステー２０より外側に突出すこともない。
【００１６】
また上記格納具２６は、後方に向かって上昇するように傾斜してステー１８に固定されており、後方の開口部２６ａからスクレーパ２４を苗の掬い面を上又は下向きに挿入することによって、スクレーパ２４を収納する。なおスクレーパ２４の取り出しは、上記後方の開口部２６ａから引き出すことによって行われる。
【００１７】
そして上記格納具２６はステップ１７の上面より上方の空間、すなわち最下段の補助苗載板２３Ｕとステップ１７の上面との間の空間内に設けられ、格納具２６に収納された状態のスクレーパ２４も最下段の補助苗載板２３Ｕとステップ１７の上面との間の空間内に位置し、収納状態のスクレーパ２４の端部は座席５の先端下方に位置する。
【００１８】
上記構成により、スクレーパ２４の格納具２６が補助苗載台１９における最下段の補助苗載板２３Ｕの下方の空き空間に設けられるため、格納具２６を省スペースで配置することができるだけでなく、補助苗載台１９を必要以上に機体の外側方に突出させ無い状態で、補助苗載板２３がステップ１７より内側に大きく突出せず、且つ格納具２６がステップ１７の内側に突出しないため、ステップ１７の幅（通路）を確保し、オペレータの機体３の前部から座席５までの移動が容易となる。
【００１９】
このとき補助苗載台１９が操作パネル８の外側方に位置するため、補助苗の取り出しは容易であり、且つスクレーパ２４の取り出し及び収納も容易となる。また格納具２６は、縦ステー２０より外側方に突出しないため、縦ステー２０より外側の補助苗載板２３を格納姿勢Ａとした場合でも、格納具２６は左右の縦ステー２０の内側に位置し、格納具２６が走行機体３の機体幅を増大させることはない。
【００２０】
一方格納具２６が後方に向かって上昇傾斜し、且つスクレーパ２４を苗の掬い面を上又は下向きに挿入して格納する構成であるため、スクレーパ２４の格納及び取り出しを容易に行うことができるだけでなく、スクレーパ２４の落下が防止され、スクレーパ２４が格納具２６内に安定して収納される。なお収納状態のスクレーパ２４の端部は座席５の先端下方に位置することによりスクレーパ２４の挿脱は特に容易である。
【００２１】
【発明の効果】
以上のように構成される本発明の構造によると、スクレーパの格納具が補助苗載台における最下段の補助苗載板の下方の空き空間に設けられるため、格納具を省スペースで配置することができるだけでなく、操作パネルの側方位置に配置される補助苗載台によって補助苗の取り出しが容易となるとともに、格納具がステップの内側に突出しないため、ステップの幅（通路）を確保し、オペレータの機体の前部から座席までの移動が容易となるという効果がある。
【００２２】
また格納具がスクレーパを苗の掬い面を上又は下向きに収容又は保持することによって、格納具の格納及び取り出しが容易である。特に格納具を後方に向かって上昇傾斜させて設けることによって、スクレーパの格納及び取り出しをより容易に行うことができるだけでなく、スクレーパの落下が防止され、スクレーパが格納具内に安定して収納されるという利点もある。
【００２３】
さらにステーをステップより外側に立設せしめ、ステーの内外両側方に補助苗載板を設け、内側の補助苗載板の下方位置に格納具を設けることによって、格納具は、縦方向のステーより外側方に突出しないため、格納具が走行機体の機体幅を増大させることはなく、格納具をコンパクトに設けることができる。
【図面の簡単な説明】
【図１】乗用田植機の側面図である。
【図２】乗用田植機の平面図である。
【図３】乗用田植機の要部正面図である。
【符号の説明】
３　　　走行機体
５　　　シート（座席）
６　　　運転席
８　　　操作パネル
１２　　植付作業機
１７　　ステップ
１９　　補助苗載台
２０　　縦ステー（ステー）
２２　　機体フレーム
２３　　補助苗載置板
２３Ｕ　最下段の補助苗載板
２４　　スクレーパ
２６　　格納具
【図１】
2004141086.tif 000003
【図２】
2004141086.tif 000004
【図３】
2004141086.tif 000005